(57)【特許請求の範囲】
【請求項１】
モータの作動中に、該モータに供給される電力が遮断されて、該モータの制御が不能となったとき、該モータを非常停止させる非常停止装置であって、
前記モータの複数のコイルに電力を供給する入力線間を、抵抗を介して短絡する短絡回路と、
前記短絡回路の動作を制御する制御装置とを備え、
前記制御装置は、前記モータの作動中に供給電力が遮断されたとき、前記短絡回路を短絡状態にするとともに、前記コイル及び抵抗の温度の内のいずれかが所定の基準値を超えると前記短絡回路における短絡を解除し、前記コイル及び抵抗の双方の温度が前記基準値以下になると前記短絡回路を短絡状態にするように構成されていることを特徴とする非常停止装置。
【請求項２】
前記制御装置は、前記コイルの温度を検出するコイル温度検出器、及び前記抵抗の温度を検出する抵抗温度検出器を備え、該コイル温度検出器及び抵抗温度検出器によって検出される温度のいずれかが前記基準値を超えると前記短絡回路における短絡を解除し、前記コイル温度検出器及び抵抗温度検出器によって検出される双方の温度が前記基準値以下になると前記短絡回路を短絡状態にするように構成されていることを特徴とする請求項１記載の非常停止装置。
【請求項３】
前記コイル温度検出器及び抵抗温度検出器は、それぞれ前記基準値を超えると開き、前記基準値以下になると閉じる温度依存型のスイッチを備え、
前記制御装置は、コイル温度検出器及び抵抗温度検出器の双方の前記スイッチが閉じているとき、前記短絡回路を短絡状態にし、コイル温度検出器及び抵抗温度検出器のいずれか一方のスイッチが開いているとき、前記短絡回路における短絡を解除するように構成されていることを特徴とする請求項２記載の非常停止装置。
【発明の詳細な説明】
【技術分野】
【０００１】
本発明は、モータの作動中に、当該モータに供給される電力が遮断されて、当該モータが制御不能となったときに、当該モータを非常停止させる非常停止装置に関する。
【背景技術】
【０００２】
例えば、工作機機械の分野では、被回転体であるワークや工具を回転させるために回転装置（主軸装置）が用いられており、この回転装置は、一般的に、前記被回転体に連結されて、当該被回転体を回転させる主軸モータ、この主軸モータの作動を制御する回転制御部などを備えて構成される。
【０００３】
そして、前記回転制御部には、一般的に、停電やその他の原因によって、前記モータの回転中に、当該モータに接続されたアンプによる制御が不能となったとき、当該モータを非常停止させるためのダイナミックブレーキ回路と呼ばれる回路が設けられている。このようなダイナミックブレーキ回路を備えた回転装置の一例として、従来、特許第６２８５４７７号公報（各特許文献１）に開示されたモータ駆動装置が知られている。
【０００４】
このモータ駆動装置は、同公報に開示されるように、モータを駆動するインバータと、モータの回転速度を取得する回転速度取得部と、モータのイナーシャに関する情報を格納したイナーシャ情報格納部と、モータの回転速度及びイナーシャに基づいて、モータの回転エネルギーを計算する回転エネルギー計算部と、非常停止時にモータの発電制動によって減速トルクを発生させるダイナミックブレーキ回路と、このダイナミックブレーキ回路における抵抗の耐量に関する情報を格納した耐量情報格納部と、モータの非常停止時に上アーム及び下アームのうちの一方のアームのパワー素子をオンし、他方のアームのパワー素子をオフするパワー素子操作部と、ダイナミックブレーキ回路のスイッチを操作するダイナミックブレーキ回路操作部と、モータの回転エネルギーとダイナミックブレーキ回路の耐量とを比較する耐量比較部とから構成される。
【０００５】
そして、ダイナミックブレーキ回路操作部は、モータの回転エネルギーがダイナミックブレーキ回路の耐量を超えている場合には、ダイナミックブレーキ回路を動作させないで、モータの回転エネルギーがダイナミックブレーキ回路の耐量以下の場合に、ダイナミックブレーキ回路を動作させる。尚、モータの回転エネルギーがダイナミックブレーキ回路の耐量を超えている場合には、ダイナミックブレーキ回路操作部は、しばらくモータを空転させることにより、その回転速度が低下し、モータの回転エネルギーがダイナミックブレーキ回路の耐量以下になった後に、ダイナミックブレーキ回路を動作させる。
【０００６】
斯くして、この従来のモータ駆動装置では、上記のようなダイナミックブレーキ回路操作部の動作により、ダイナミックブレーキ回路の損傷が回避される。
【先行技術文献】
【特許文献】
【０００７】
【特許文献１】特許第６２８５４７７号公報
【発明の概要】
【発明が解決しようとする課題】
【０００８】
ところで、工作機械の分野では、モータに供給される電力が遮断された際の非常停止回路として、上述したようなダイナミックブレーキ回路、即ち、回転エネルギーを消費するための特別な抵抗を設けることなく、モータの各コイルに電力を供給する入力線間を短絡させる短絡回路のみが設けられているものもある。この非常停止回路によれば、モータが空転することよって当該モータに発生する誘起電流を、モータの各コイルに流すことにより、モータの回転エネルギーが各コイルにより熱に変換されて消費され、これによりモータが停止される。
【０００９】
ところが、このような非常停止回路では、モータのコイルに誘起電流を流すことによって、モータの回転エネルギーを消費させているため、空転時のモータの回転エネルギーが大きい場合には、コイルに過大な熱が生じて当該コイルが焼損するという問題がある。
【００１０】
上述したように、工作機械の分野で用いられるモータには、ワークを回転させるための主軸モータなどがあるが、加工対象のワークの重量が相当に重い場合には、モータを停止させるために消費すべき回転エネルギーが過大なものになるため、上記のような態様では、モータのコイルが焼損するといったことが起こり得るのである。
【００１１】
そして、このようにしてモータが損傷すると、その交換などの修復作業に多大な時間や労力を費やさなくてならず、また、交換用のモータに係る設備費用が必要となる。
【００１２】
本発明は、以上の実情に鑑みなされたものであって、発電制動によってモータを非常停止させる際に、モータのコイルが焼損するのを防止することが可能な非常停止装置の提供を、その目的とする。
【課題を解決するための手段】
【００１３】
上記課題を解決するための本発明は、モータの作動中に、該モータに供給される電力が遮断されて、当該モータの制御が不能となったときに、当該モータを非常停止させる非常停止装置であって、
前記モータの複数のコイルに電力を供給する入力線間を短絡する短絡回路と、
前記短絡回路の動作を制御する制御装置とを備え、
前記制御装置は、前記モータの作動中に供給電力が遮断されたとき、前記短絡回路を短絡状態にするとともに、前記コイルの温度が所定の基準値を超えると前記短絡回路における短絡を解除し、前記コイルの温度が前記基準値以下になると前記短絡回路を短絡状態にするように構成された非常停止装置に係る（第１の態様）。
【００１４】
この非常停止装置によれば、モータに供給される電力が遮断されると、制御装置によって短絡回路が短絡状態にされ、モータの各コイルに電力を供給する入力線間が短絡される。斯くして、このような状態でモータが空転すると、当該モータに誘起電流が生じ、生じた電流が当該モータの各コイルに流れ、この結果、モータの回転エネルギーが、抵抗として作用する各コイルにより熱に変換されて消費され、このような作用によってモータが制動される。
【００１５】
その際、制御装置により、コイルの温度が監視され、各コイルの温度が所定の基準値を超えると前記短絡回路における短絡が解除される。これにより、発電制動が停止された状態でモータが空転し、この結果、コイルが焼損するのが防止される。そして、発電制動が停止された状態でモータが空転することにより、各コイルが冷却され、その温度が上昇から下降に転じて、所定の基準値以下になると、再度、前記短絡回路が短絡された状態となり、発電制動によって当該モータの空転が制動される。
【００１６】
斯くして、この非常停止装置によれば、発電制動によってモータを非常停止させる際に、当該モータのコイルが損傷するのを防止することができる。尚、前記基準値は、コイルの焼損を確実に防止することができる値（温度）に設定される。
【００１７】
上記第１の態様において、前記制御装置は、前記コイルの温度を検出するコイル温度検出器を備え、該コイル温度検出器によって検出される温度が前記基準値を超えると前記短絡回路における短絡を解除し、検出温度が前記基準値以下になると前記短絡回路を短絡状態にするように構成された態様（第２の態様）を採ることができる。
【００１８】
また、上記第２の態様において、前記コイル温度検出器は、前記基準値を超えると開き、前記基準値以下になると閉じる温度依存型のスイッチを備え、前記制御装置は、前記コイル温度検出器のスイッチが閉じているとき、前記短絡回路を短絡状態にし、前記コイル温度検出器のスイッチが開いているとき、前記短絡回路における短絡を解除するように構成された態様（第３の態様）を採ることができる。
【００１９】
また、上記第１〜第３の態様において、前記短絡回路は、抵抗を介して前記入力線を短絡させるように構成されていても良い（第４の態様）。このようにすれば、モータの空転によって誘起された電流がモータのコイルと抵抗に流されて、モータの回転エネルギーが、モータのコイル及び抵抗によって熱に変換されて消費されるため、モータをより短時間で停止させることができる。
【００２０】
また、本発明は、モータの作動中に、該モータに供給される電力が遮断されて、該モータの制御が不能となったとき、該モータを非常停止させる非常停止装置であって、
前記モータの複数のコイルに電力を供給する入力線間を、抵抗を介して短絡する短絡回路と、
前記短絡回路の動作を制御する制御装置とを備え、
前記制御装置は、前記モータの作動中に供給電力が遮断されたとき、前記短絡回路を短絡状態にするとともに、前記コイル及び抵抗の温度の内のいずれかが所定の基準値を超えると前記短絡回路における短絡を解除し、前記コイル及び抵抗の双方の温度が前記基準値以下になると前記短絡回路を短絡状態にするように構成された非常停止装置に係る（第５の態様）。
【００２１】
この非常停止装置によれば、モータに供給される電力が遮断されると、制御装置によって短絡回路が短絡状態にされ、モータの各コイルに電力を供給する入力線間が抵抗を介して短絡される。斯くして、このような状態でモータが空転すると、当該モータに誘起電流が生じ、生じた電流が当該モータの各コイル及び抵抗に流れ、この結果、モータの回転エネルギーが、各コイル及び抵抗により熱に変換されて消費され、このような作用によってモータが制動される。
【００２２】
その際、制御装置により、コイル及び抵抗の温度が監視され、コイル及び抵抗の温度の内のいずれかが所定の基準値を超えると前記短絡回路における短絡が解除される。これにより、発電制動が停止された状態でモータが空転し、この結果、コイル及び抵抗が焼損するのが防止される。そして、発電制動が停止された状態でモータが空転することにより、コイル及び抵抗が冷却され、その温度が上昇から下降に転じて、コイル及び抵抗の双方の温度が所定の基準値以下になると、再度、前記短絡回路が短絡された状態となり、発電制動によって当該モータの空転が制動される。
【００２３】
斯くして、この非常停止装置によれば、発電制動によってモータを非常停止させる際に、当該モータのコイル、及び短絡回路の抵抗が損傷するのを防止することができる。尚、前記基準値は、コイル及び抵抗の焼損を確実に防止することができる値（温度）に設定される。
【００２４】
上記第５の態様において、前記制御装置は、前記コイルの温度を検出するコイル温度検出器、及び前記抵抗の温度を検出する抵抗温度検出器を備え、該コイル温度検出器及び抵抗温度検出器によって検出される温度のいずれかが前記基準値を超えると前記短絡回路における短絡を解除し、前記コイル温度検出器及び抵抗温度検出器によって検出される双方の温度が前記基準値以下になると前記短絡回路を短絡状態にするように構成された態様（第６の態様）を採ることができる。
【００２５】
また、上記第６の態様において、前記コイル温度検出器及び抵抗温度検出器は、それぞれ前記基準値を超えると開き、前記基準値以下になると閉じる温度依存型のスイッチを備え、前記制御装置は、コイル温度検出器及び抵抗温度検出器の双方の前記スイッチが閉じているとき、前記短絡回路を短絡状態にし、コイル温度検出器及び抵抗温度検出器のいずれか一方のスイッチが開いているとき、前記短絡回路における短絡を解除するように構成された態様を採ることができる（第７の態様）。
【００２６】
尚、上記第１〜第７の態様に係る前記基準値について、短絡回路の短絡を解除する際の基準値を第１基準値とし、短絡回路を再短絡させる際の基準値を第２基準値とすると、第１基準値と第２基準値とは同じ値（温度）であっても良いが、第１基準値は、第２基準値よりも大きい値（高い温度）に設定されているのが好ましい。第１基準値と第２基準値とを同じ値にすると、発電制動とその停止が短時間で脈動的に実行される可能性があるが、第１基準値を第２基準値よりも大きい値にすることで、発電制動とその停止とを安定した状態で繰り返し動作させることができる。
【発明の効果】
【００２７】
本発明に係る非常停止装置によれば、発電制動によってモータを非常停止させる際に、当該モータのコイルが損傷するのを防止することができる。
【図面の簡単な説明】
【００２８】
【図１】本発明の第１の実施形態に係る非常停止装置の概略構成を示したブロック図である。
【図２】第１の実施形態の回路制御部における処理を説明するためのフローチャートである。
【図３】本発明の第２の実施形態に係る非常停止装置の概略構成を示したブロック図である。
【図４】第２の実施形態の回路制御部における処理を説明するためのフローチャートである。
【発明を実施するための形態】
【００２９】
以下、本発明の具体的な実施の形態について、図面を参照しながら説明する。
【００３０】
［第１の実施形態］
まず、図１及び図２に基づいて、本発明の第１の実施形態に係る非常停止装置について説明する。図１に示すように、本例の非常停止装置１は、電源Ｐから電力を供給される同期モータＭ（以下、単に「モータＭ」という）に接続されるもので、モータＭの作動中に、電源Ｐからの電力供給が遮断されて、当該モータＭの制御が不能となったときに、これを非常停止させる装置である。尚、モータＭは、電源Ｐを有するモータ制御装置Ｍｃによって、その作動が制御される。
【００３１】
この非常停止装置１は、図１に示すように、電源ＰからモータＭの３相の各巻き線（コイル）Ｕ，Ｖ，Ｗに接続される各入力線ＩＵ，ＩＶ，ＩＷ間を短絡させる短絡回路２と、この短絡回路２の動作を制御する制御装置５などから構成される。
【００３２】
前記短絡回路２は、入力線ＩＵに接続される抵抗ＲＵ、入力線ＩＶに接続される抵抗ＲＶ、及び入力線ＩＷに接続される抵抗ＲＷ、並びに抵抗ＲＵと共通端子４との接続を入り切りするスイッチ３Ｕ、抵抗ＲＶと共通端子４との接続を入り切りするスイッチ３Ｖ、及び抵抗ＲＷと共通端子４との接続を入り切りするスイッチ３Ｗから構成される。尚、スイッチ３Ｕ，３Ｖ，３Ｗは短絡スイッチ３を構成する。
【００３３】
前記制御装置５は、前記モータＭの各コイルＵ，Ｖ，Ｗの近傍にそれぞれ配置されて、各コイルＵ，Ｖ，Ｗの温度を検出する温度センサＴＳ１，ＴＳ２，ＴＳ３と、前記短絡回路２の各抵抗ＲＵ，ＲＶ，ＲＷの近傍にそれぞれ配置されて、各抵抗ＲＵ，ＲＶ，ＲＷの温度を検出する温度センサＴＳ４，ＴＳ５，ＴＳ６と、前記短絡スイッチ３（３Ｕ，３Ｖ，３Ｗ）の動作を制御する短絡回路制御部６とから構成される。
【００３４】
前記短絡回路制御部６は、ＣＰＵ、ＲＡＭ、ＲＯＭなどを含むコンピュータから構成され、適宜作成されたコンピュータプログラムにしたがって、図２に示した処理を実行する。即ち、前記短絡回路制御部６は、所定の処理開始信号を外部から受信することにより処理を開始して、前記モータ制御装置Ｍｃの制御状態を監視し、モータＭを駆動しているときに、電源ＰからモータＭに供給される電力が遮断されたかどうかを確認する（ステップＳ１）。尚、この監視処理は外部から処理終了信号が入力されるまで実行される（ステップＳ７）。
【００３５】
そして、モータ制御装置ＭｃによってモータＭが駆動されているときに、電源ＰからモータＭに供給される電力が遮断されたことが、監視中に確認されると、短絡回路制御部６は、前記短絡スイッチ３（３Ｕ，３Ｖ，３Ｗ）をＯＮにして、入力線ＩＵ，ＩＶ，ＩＷ相互間をそれぞれ抵抗ＲＵ，ＲＶ，ＲＷを介して短絡させる（ステップＳ２）。
【００３６】
モータ制御装置ＭｃによってモータＭが駆動されているときに、電源ＰからモータＭに供給される電力が遮断されると、モータＭが制御不能になって空転するが、短絡回路２によって入力線ＩＵ，ＩＶ，ＩＷ相互間を短絡させることにより、モータＭの空転に起因した誘起電流が当該モータＭに生じる。そして、生じた誘起電流はモータＭの各コイルＵ，Ｖ，Ｗに流れるとともに、抵抗ＲＵ，ＲＶ，ＲＷに流れ、その過程で熱に変換される。斯くして、モータＭの空転に伴う回転エネルギーは、各コイルＵ，Ｖ，Ｗ及び抵抗ＲＵ，ＲＶ，ＲＷによって熱エネルギーに変化されることによって消費され、この結果、モータＭの回転が減速される。即ち、モータＭが発電制動される。
【００３７】
次に、短絡回路制御部６は、短絡スイッチ３（３Ｕ，３Ｖ，３Ｗ）をＯＮにした後、温度センサＴＳ１〜ＴＳ６によって検出される温度を監視し（ステップＳ３）、温度センサＴＳ１〜ＴＳ６によって検出される温度が、いずれも所定の基準値を超えていない場合には、短絡スイッチ３（３Ｕ，３Ｖ，３Ｗ）をＯＮにした状態を維持、即ち、発電制動を維持し（ステップＳ４）、温度センサＴＳ１〜ＴＳ６によって検出されるコイルＵ，Ｖ，Ｗ及び抵抗ＲＵ，ＲＶ，ＲＷの温度のいずれかが所定の基準値を超えた場合には、短絡スイッチ３（３Ｕ，３Ｖ，３Ｗ）をＯＦＦにして、発電制動を停止する（ステップＳ５）。
【００３８】
上述したように、モータＭが空転した状態で、短絡回路２よって入力線ＩＵ，ＩＶ，ＩＷ間を短絡させると、モータＭに生じた誘起電流がコイルＵ，Ｖ，Ｗ及び抵抗ＲＵ，ＲＶ，ＲＷに流れて、これらコイルＵ，Ｖ，Ｗ及び抵抗ＲＵ，ＲＶ，ＲＷが発熱して温度上昇することになるが、温度がそれぞれの耐熱温度を超えると、コイルＵ，Ｖ，Ｗ及び抵抗ＲＵ，ＲＶ，ＲＷが焼損することになる。
【００３９】
そこで、コイルＵ，Ｖ，Ｗ及び抵抗ＲＵ，ＲＶ，ＲＷの温度を温度センサＴＳ１〜ＴＳ６によって検出し、検出された各温度のいずれかが所定の基準値を超えた場合に、短絡スイッチ３（３Ｕ，３Ｖ，３Ｗ）をＯＦＦにして発電制動を停止し、モータＭを再度空転させる。これにより、モータＭのコイルＵ，Ｖ，Ｗ、及び短絡回路２の抵抗ＲＵ，ＲＶ，ＲＷが焼損するのが防止される。尚、前記基準値は、コイルＵ，Ｖ，Ｗ、及び抵抗ＲＵ，ＲＶ，ＲＷの焼損を確実に防止することができる値（温度）に設定される。
【００４０】
次に、短絡回路制御部６は、ステップＳ２において最初に短絡スイッチ３（３Ｕ，３Ｖ，３Ｗ）をＯＮにしてからの経過時間が所定の基準時間を超えたかどうかを確認し（ステップＳ６）、基準時間を経過していない場合には、発電制動によってモータＭの空転が制動されていないと判断して、ステップＳ３〜Ｓ６の処理を繰り返して実行する。
【００４１】
そして、繰り返し処理中に、発電制動が停止された状態でモータＭが空転することにより、コイルＵ，Ｖ，Ｗ、及び抵抗ＲＵ，ＲＶ，ＲＷが冷却され、その温度が上昇から下降に転じて、所定の基準値（温度）以下になると（ステップＳ３）、再度、短絡スイッチ３（３Ｕ，３Ｖ，３Ｗ）がＯＮ状態にされて、発電制動が実行される（ステップＳ４）。
【００４２】
このように、この短絡回路制御部６では、コイルＵ，Ｖ，Ｗ、及び抵抗ＲＵ，ＲＶ，ＲＷの温度が基準温度以下の場合に実行される発電制動処理と、コイルＵ，Ｖ，Ｗ、及び抵抗ＲＵ，ＲＶ，ＲＷの温度が基準温度以上となった場合に実行される発電制動停止処理とが、モータＭの空転が停止されるまで繰り返して実行される。尚、前記基準時間は、繰り返し処理を行ったとしてもモータＭを確実に停止させることができる時間であって、経験的に設定される時間である。
【００４３】
一方、ステップＳ６において、基準時間が経過している場合には、発電制動によってモータＭの空転が制動されて停止されたと判断し、ついで、外部から処理終了信号が入力されているかどうかを確認し（ステップＳ７）、処理終了信号が入力されている場合には、処理を終了し、処理終了信号が入力されていない場合には、処理終了信号が入力されるまで、上述したステップＳ１〜Ｓ７の処理を繰り返して実行する。
【００４４】
以上のように、本例の非常停止装置１によれば、モータＭの作動中に、電源Ｐからの電力供給が遮断されて、当該モータＭの制御が不能となったときに、コイルＵ，Ｖ，Ｗ、及び抵抗ＲＵ，ＲＶ，ＲＷを焼損させることなく、モータＭを停止させることができる。
【００４５】
［第２の実施形態］
次に、図３及び図４に基づいて、本発明の第２の実施形態に係る非常停止装置について説明する。図３に示すように、この非常停止装置１１は、第１の実施形態に係る非常停止装置１と同様に、電源Ｐから電力を供給されるモータＭに接続されるもので、モータＭの作動中に、電源Ｐからの電力供給が遮断されて、当該モータＭの制御が不能となったときに、これを非常停止させる装置である。尚、モータＭは、電源Ｐを有するモータ制御装置Ｍｃによって、その作動が制御される。
【００４６】
この非常停止装置１１は、図３に示すように、電源ＰからモータＭの３相の各巻き線（コイル）Ｕ，Ｖ，Ｗに接続される各入力線ＩＵ，ＩＶ，ＩＷ間を短絡させる短絡回路１２と、この短絡回路１２の動作を制御する制御装置１５などから構成される。
【００４７】
前記短絡回路１２は、入力線ＩＵに接続される抵抗ＲＵ、入力線ＩＶに接続される抵抗ＲＶ、及び入力線ＩＷに接続される抵抗ＲＷ、並びに抵抗ＲＵと共通端子１４との接続を入り切りするスイッチ１３Ｕ、抵抗ＲＶと共通端子１４との接続を入り切りするスイッチ１３Ｖ、及び抵抗ＲＷと共通端子１４との接続を入り切りするスイッチ１３Ｗを備えており、抵抗ＲＵとスイッチ１３Ｕとの間、抵抗ＲＶとスイッチ１３Ｖとの間、及び抵抗ＲＷとスイッチ１３Ｗとの間に、それぞれ後述するサーモスタットＳ１〜Ｓ６が電気的に接続された回路を構成する。尚、スイッチ１３Ｕ，１３Ｖ，１３Ｗは短絡スイッチ１３を構成する。
【００４８】
前記制御装置１５は、前記モータＭの各コイルＵ，Ｖ，Ｗの近傍にそれぞれ配置されて、各コイルＵ，Ｖ，Ｗの温度を検出し、検出した温度が所定の基準値（温度）を超えるとスイッチを開き、前記基準値（温度）以下になるとスイッチを閉じる温度依存型のスイッチであるサーモスタットＳ１，Ｓ２，Ｓ３と、前記短絡回路１２の各抵抗ＲＵ，ＲＶ，ＲＷの近傍にそれぞれ配置されて、同じく各抵抗ＲＵ，ＲＶ，ＲＷの温度を検出し、検出した温度が所定の基準値（温度）を超えるとスイッチを開き、前記基準値（温度）以下になるとスイッチを閉じる温度依存型のスイッチであるサーモスタットＳ４，Ｓ５，Ｓ６と、前記短絡スイッチ１３（１３Ｕ，１３Ｖ，１３Ｗ）の動作を制御する短絡回路制御部１６とから構成される。この基準値（温度）は、第１の実施形態と同様に、コイルＵ，Ｖ，Ｗ、及び抵抗ＲＵ，ＲＶ，ＲＷの焼損を確実に防止することができる値（温度）である。
【００４９】
各サーモスタットＳ１，Ｓ２，Ｓ３，Ｓ４，Ｓ５，Ｓ６の各出力端子は配線によって直列に接続されて一つの温度感応スイッチを構成し、この温度感応スイッチは一以上の検出温度が前記基準値（温度）を超えるとスイッチを開き、即ち、ＯＦＦし、全ての検出温度が前記基準値（温度）以下の場合にスイッチを閉じる、即ち、ＯＮにする。そして、このサーモスタットＳ１，Ｓ２，Ｓ３，Ｓ４，Ｓ５，Ｓ６から構成される温度感応スイッチが、前記短絡回路１２の抵抗ＲＵとスイッチ１３Ｕとの間、抵抗ＲＶとスイッチ１３Ｖとの間、及び抵抗ＲＷとスイッチ１３Ｗとの間にそれぞれ電気回路的に介装される。
【００５０】
前記短絡回路制御部１６は、ＣＰＵ、ＲＡＭ、ＲＯＭなどを含むコンピュータから構成され、適宜作成されたコンピュータプログラムにしたがって、図４に示した処理を実行する。即ち、前記短絡回路制御部１６は、所定の処理開始信号を外部から受信することにより処理を開始して、前記モータ制御装置Ｍｃの制御状態を監視し、モータＭを駆動しているときに、電源ＰからモータＭに供給される電力が遮断されたかどうかを確認する（ステップＳ１１）。尚、この監視処理は外部から処理終了信号が入力されるまで実行される（ステップＳ１４）。
【００５１】
そして、モータ制御装置ＭｃによってモータＭが駆動されているときに、電源ＰからモータＭに供給される電力が遮断されたことが、監視中に確認されると、短絡回路制御部１６は、前記短絡スイッチ１３（１３Ｕ，１３Ｖ，１３Ｗ）をＯＮにする（ステップＳ１２）。このとき、コイルＵ，Ｖ，Ｗ及び抵抗ＲＵ，ＲＶ，ＲＷの温度は基準値以下であるので、サーモスタットＳ１，Ｓ２，Ｓ３，Ｓ４，Ｓ５，Ｓ６から構成される温度感応スイッチはＯＮとなっており、前記短絡スイッチ１３をＯＮにすることによって、入力線ＩＵ，ＩＶ，ＩＷ相互間がそれぞれ抵抗ＲＵ，ＲＶ，ＲＷを介して短絡される。
【００５２】
これにより、モータＭの空転に起因した誘起電流が当該モータＭに生じ、生じた誘起電流がモータＭの各コイルＵ，Ｖ，Ｗ、及び抵抗ＲＵ，ＲＶ，ＲＷに流れ、その過程で熱に変換される。斯くして、モータＭの空転に伴う回転エネルギーは、各コイルＵ，Ｖ，Ｗ及び抵抗ＲＵ，ＲＶ，ＲＷによって熱エネルギーに変化されることによって消費され、この結果、モータＭの回転が減速される。即ち、モータＭが発電制動される。
【００５３】
このようにして、短絡スイッチ１３（１３Ｕ，１３Ｖ，１３Ｗ）をＯＮにした後、短絡回路制御部１６は、ステップＳ１２において短絡スイッチ１３（１３Ｕ，１３Ｖ，１３Ｗ）をＯＮにしてからの経過時間が所定の基準時間を超えたかどうかを確認し（ステップＳ１３）、基準時間を経過していない場合には、発電制動によってモータＭの空転が停止されていないと判断して、基準時間が経過するまで待機する。
【００５４】
そして、発電制動によって、コイルＵ，Ｖ，Ｗ、及び抵抗ＲＵ，ＲＶ，ＲＷの温度が上昇し、その一以上の温度が基準値（温度）を超えると、サーモスタットＳ１，Ｓ２，Ｓ３，Ｓ４，Ｓ５，Ｓ６から構成される温度感応スイッチがＯＦＦとなり、前記短絡回路１２における短絡が解除されて発電制動が停止され、これによりモータＭが再度空転される。斯くして、このような挙動により、モータＭのコイルＵ，Ｖ，Ｗ、及び短絡回路１２の抵抗ＲＵ，ＲＶ，ＲＷが焼損するのが防止される。
【００５５】
そして、発電制動の停止によってモータＭが空転すると、コイルＵ，Ｖ，Ｗ、及び抵抗ＲＵ，ＲＶ，ＲＷが冷却され、その温度が上昇から下降に転じて、前記基準値（温度）以下になると、再度、サーモスタットＳ１，Ｓ２，Ｓ３，Ｓ４，Ｓ５，Ｓ６から構成される温度感応スイッチがＯＮとなり、これにより、再度、入力線ＩＵ，ＩＶ，ＩＷ相互間がそれぞれ抵抗ＲＵ，ＲＶ，ＲＷを介して短絡され、モータＭの発電制動が再開される。
【００５６】
斯くして、基準時間が経過すると、短絡回路制御部１６は、発電制動によってモータＭの空転が制動されて停止されたと判断して、ついで、外部から処理終了信号が入力されているかどうかを確認し（ステップＳ１４）、処理終了信号が入力されている場合には、処理を終了し、処理終了信号が入力されていない場合には、処理終了信号が入力されるまで、上述したステップＳ１１〜Ｓ１４の処理を繰り返して実行する。
【００５７】
このように、本例の非常停止装置１１によっても、コイルＵ，Ｖ，Ｗ、及び抵抗ＲＵ，ＲＶ，ＲＷの温度が基準温度以下の場合に発電制動が実行され、コイルＵ，Ｖ，Ｗ、及び抵抗ＲＵ，ＲＶ，ＲＷの温度が基準温度以上となった場合には発電制動停止され、モータＭの空転が停止されるまで、発電制動とその停止とが繰り返して実行される。尚、本例においても、前記基準時間は、繰り返し処理を行ったとしてもモータＭを確実に停止させることができる時間であって、経験的に設定される時間である。
【００５８】
以上のように、本例の非常停止装置１１によっても、モータＭの作動中に、電源Ｐからの電力供給が遮断されて、当該モータＭの制御が不能となったときに、コイルＵ，Ｖ，Ｗ、及び抵抗ＲＵ，ＲＶ，ＲＷを焼損させることなく、モータＭを停止させることができる。
【００５９】
以上、本発明の具体的な実施の形態について説明したが、本発明が採り得る態様は、何ら上例のものに限定されるものではない。
【００６０】
例えば、上述した第１の実施形態及び第２の実施形態では、短絡回路２，１２にそれぞれ抵抗ＲＵ，ＲＶ，ＲＷを設けることにより、モータＭの回転エネルギーを短時間に消費させて、当該モータＭを短時間の内に停止させるようにしたが、このような態様に限られるものではなく、モータＭの回転エネルギーが比較的小さい場合には、前記抵抗ＲＵ，ＲＶ，ＲＷを省略しても良い。この場合、抵抗ＲＵ，ＲＶ，ＲＷの省略に合わせて、第１の実施形態の温度センサＴＳ４〜ＴＳ６、及び第２の実施形態のサーモスタットＳ４〜Ｓ６を省略することができる。
【００６１】
また、第２の実施形態において、温度依存型のスイッチとしてサーモスタットを例示したがこれに限られるものではなく、同様の機能を有する他のスイッチを採用することができる。
【００６２】
また、第１及び第２の実施形態において、短絡回路２，１２の短絡を解除する際の基準値を第１基準値とし、短絡回路２，１２を再短絡させる際の基準値を第２基準値とすると、第１基準値と第２基準値とは同じ値（温度）であっても良いが、第１基準値は、第２基準値よりも大きい値（高い温度）に設定されていても良い。第１基準値と第２基準値とを同じ値にすると、発電制動とその停止が短時間で脈動的に実行される可能性があるが、第１基準値を第２基準値よりも大きい値にすることで、発電制動とその停止とを安定した状態で繰り返し動作させることができる。
【００６３】
繰返しになるが、上述した実施形態の説明は、すべての点で例示であって、制限的なものではない。当業者にとって変形および変更が適宜可能である。本発明の範囲は、上述の実施形態ではなく、特許請求の範囲によって示される。さらに、本発明の範囲には、特許請求の範囲内と均等の範囲内での実施形態からの変更が含まれる。
【符号の説明】
【００６４】
１    非常停止装置
２    短絡回路
３    短絡スイッチ
４    共通端子
ＲＵ，ＲＶ，ＲＷ  抵抗
５    制御装置
６    短絡回路制御部
ＴＳ１〜ＴＳ６  温度センサ
１１  非常停止装置
１２    短絡回路
１３    短絡スイッチ
１４    共通端子
１５  制御装置
１６  短絡回路制御部
Ｓ１〜Ｓ６  サーモスタット
Ｍｃ  モータ制御装置
Ｐ    電源
Ｍ    （同期）モータ
Ｕ，Ｖ，Ｗ    コイル（巻き線）
ＩＶ，ＩＵ，ＩＷ  入力線
【要約】
【課題】発電制動によってモータを非常停止させる際に、モータのコイルが焼損するのを防止することが可能な非常停止装置を提供する。
【解決手段】モータＭの作動中に、モータＭに供給される電力が遮断されて、モータＭの制御が不能となったときに、当該モータＭを非常停止させる。非常停止装置１は、モータＭの複数のコイルＵ，Ｖ，Ｗに電力を供給する入力線ＩＵ、ＩＶ，ＩＷ間を短絡する短絡回路２と、短絡回路２の動作を制御する制御装置５とを備える。制御装置５は、モータＭの作動中に供給電力が遮断されたとき、短絡回路２を短絡状態にするとともに、コイルＵ，Ｖ，Ｗの温度が所定の基準値を超えると短絡回路２における短絡を解除し、コイルコイルＵ，Ｖ，Ｗの温度が基準値以下になると短絡回路２を短絡状態にする。
【選択図】図１【図１】
0006952211.tif 000002
【図２】
0006952211.tif 000003
【図３】
0006952211.tif 000004
【図４】
0006952211.tif 000005